(57)【特許請求の範囲】
【請求項１】
ソケットに脱着可能な口金類と、光源用のＬＥＤと、ＬＥＤからの熱を外部に放出する放熱体と、ＬＥＤ用電源回路や電子部品が搭載された回路基板と、ＬＥＤの外周に配置された反射ミラーと、反射ミラーに平板状のカバーを備えたハロゲンランプ型ＬＥＤ照明具において、
前記放熱体が高熱伝導率の炭素繊維を含む樹脂製の筒状であり、
前記放熱体の内側に回路基板が収容され、
前記口金類が前記放熱体よりも下方に突設され、
前記反射ミラーは先方開口の略椀型であり、内面が鏡面仕上げされた内側反射面であり、外面が凹凸又は粗面化された外側反射面であり、底の中央部にＬＥＤ配置孔が開口され、そのＬＥＤ配置孔の外周面が光入射面であり、
前記ＬＥＤが前記放熱体の上部であって前記ＬＥＤ配置孔内に配置されて、ＬＥＤからの出射光が前記光入射面から反射ミラーの肉厚内に入射して当該肉厚内を進行し、その進行中に反射ミラーの内側反射面で反射ミラーの内側に反射され、外側反射面で反射ミラーの外側に反射して出射されるようにした、
ことを特徴とするハロゲンランプ型ＬＥＤ照明具。
【請求項２】
請求項１記載のハロゲンランプ型ＬＥＤ照明具において、
放熱体の外周面が熱伝導性のある絶縁塗料で被覆されている、
ことを特徴とするハロゲンランプ型ＬＥＤ照明具。
【請求項３】
請求項１又は請求項２記載のハロゲンランプ型ＬＥＤ照明具において、
放熱体の内周面に吸熱用フィンを備えた、
ことを特徴とするハロゲンランプ型ＬＥＤ照明具。
【請求項４】
請求項１から請求項３のいずれか１項に記載のハロゲンランプ型ＬＥＤ照明具において、
放熱体の外周面に放熱用フィンを備えた、
ことを特徴とするハロゲンランプ型ＬＥＤ照明具。
【請求項５】
請求項１から請求項４のいずれか１項に記載のハロゲンランプ型ＬＥＤ照明具において、
放熱体の内側に、回路基板が収容された筒状収容体を備えた、
ことを特徴とするハロゲンランプ型ＬＥＤ照明具。
【請求項６】
請求項１から請求項５のいずれか１項に記載のハロゲンランプ型ＬＥＤ照明具において、
回路基板が放熱体又は筒状収容体の内側に縦向きに配置された、
ことを特徴とするハロゲンランプ型ＬＥＤ照明具。
【請求項７】
請求項１から請求項６のいずれか１項に記載のハロゲンランプ型ＬＥＤ照明具において、
ＬＥＤの光出射方向先方であって、反射ミラーの内側空間内に、ＬＥＤからの出射光を出射方向先方に導光するレンズを設けた、
ことを特徴とするハロゲンランプ型ＬＥＤ照明具。
【発明の詳細な説明】
【技術分野】
【０００１】
本願発明は既存の白熱電球、ミニ電球、クリプトン電球、ボール型電球、レフランプ型電球、ハロゲンランプ、ビームランプといった各種電球やランプと同様の形状で、それらに代えて使用できるＬＥＤ照明具に関する。
【背景技術】
【０００２】
近年、既存の白熱電球、ハロゲンランプ、各種口金付き電球に代わって、省電力、長寿命といった長所を有するＬＥＤを用いたＬＥＤ電球が開発され普及し始めている。ＬＥＤは前記長所を有する一方で放熱量が多いという難点があるため、ＬＥＤを用いた照明具には放熱対策が施されている。放熱対策が施されたＬＥＤ照明具として、ＬＥＤ光源及び電源回路等の周囲を筒状の放熱カバーで囲ったもの（特許文献１）や、口金の先にラッパ状に広がる金属製の放熱カバー（ヒートシンク）を設け、そのヒートシンク内にＬＥＤ光源を設けたもの（特許文献２）等がある。
【先行技術文献】
【特許文献】
【０００３】
【特許文献１】特開２００９−９３９２６号公報
【特許文献２】特開２００１−２４３８０９号公報
【発明の概要】
【発明が解決しようとする課題】
【０００４】
（１）特許文献１、２記載のＬＥＤ照明具は、金属製のヒートシンクが口金とバルブの間に配置されているため、ＬＥＤからの照明光はヒートシンクの周囲には出射されず、バルブの先だけしか照明されない。このため照明エリアが狭い、ヒートシンクの形状が特殊であるため電球全体の形状が特殊になり、用途が限られるといった難点がある。これまでの白熱電球を見慣れた人にとっては形状に違和感があるといった難点がある。
（２）特許文献１、２のいずれに記載のＬＥＤ照明具も、ヒートシンクの外面温度が高温になるため、手が触れると火傷をするおそれがある。また、ヒートシンクからの放熱で照明具の周囲が昇温し易い。
（３）特許文献１、２のいずれに記載のＬＥＤ照明具もヒートシンクが大型であるため、電球が従来の電球に比して大型であり、ヒートシンクがアルミダイキャスト製であるため重い。
【０００５】
本願発明の課題は、前記諸問題を解決でき、省電力、長寿命というＬＥＤの長所を生かしつつ、大型のヒートシンクを設けなくとも効率良く放熱でき、放熱体の外表面が昇温しにくく、火傷する危険が少なく、従来のＬＥＤ照明具に比して照明エリアが広く、小型化できるＬＥＤ照明具を提供することにある。
【課題を解決するための手段】
【０００６】
本願発明のＬＥＤ照明具は、口金類と、光源用ＬＥＤと、放熱体と、ＬＥＤ用電源回路や電子部品が搭載された回路基板を備えたＬＥＤ照明具において、回路基板が筒状の放熱体の内側に収容され、口金が前記放熱体に装備され、ＬＥＤが前記放熱体に搭載され、前記放熱体は高熱伝導率の炭素繊維を含む樹脂製であり、その放熱体の外周が熱伝導性のある絶縁塗料で被覆されたものである。高熱伝導率の炭素繊維としては、後述する黒鉛化炭素繊維が好ましい。絶縁塗料の被覆は電着塗装で行うことができる。
【０００７】
本願発明のＬＥＤ照明具は、口金類と、光源用ＬＥＤと、放熱体と、ＬＥＤ用電源回路や電子部品が搭載された回路基板を備えたＬＥＤ照明具において、回路基板が筒状の放熱体の内側に収容され、口金が前記放熱体に装備され、ＬＥＤが前記放熱体に搭載され、前記放熱体の内周面に吸熱用フィンを設けたものである。
【０００８】
本願発明のＬＥＤ照明具は、口金類と、光源用ＬＥＤと、放熱体と、ＬＥＤ用電源回路や電子部品が搭載された回路基板を備えたＬＥＤ照明具において、前記放熱体の内周面に吸熱用フィンが設けられ、回路基板が筒状の放熱体の内側に収容され、口金が前記放熱体に装備され、ＬＥＤが前記放熱体に搭載され、前記放熱体は高熱伝導率の炭素繊維を含む樹脂製であり、その放熱体の外周が熱伝導性のある絶縁塗料で被覆されたものである。
【０００９】
本願発明のＬＥＤ照明具は、前記ＬＥＤ照明具において、放熱体の外周面に放熱用フィンを設けたものである。
【００１０】
本願発明のＬＥＤ照明具は、前記ＬＥＤ照明具において、ＬＥＤ用電源回路に過電流切断器を設けたものである。
【００１１】
本願発明のＬＥＤ照明具は、前記ＬＥＤ照明具において、回路基板が放熱体の内側空間内に縦向きに配置されたものである。
【００１２】
本願発明のＬＥＤ照明具は、前記ＬＥＤ照明具において、ＬＥＤの先方にＬＥＤからの光を出射方向先方に導光するレンズを設けたものである。
【００１３】
本願発明のＬＥＤ照明具は、前記ＬＥＤ照明具において、放熱体の先端側に、ＬＥＤからの光を反射させる反射ミラーが設けられ、その反射ミラーは略椀型のミラー本体の内面が内側反射面、外面が凹凸の外側反射面であり、底の部分にＬＥＤを配置可能なＬＥＤ配置孔があり、そのＬＥＤ配置孔の周面がＬＥＤからの光が入射可能な入射面であり、前記内側反射面は前記ＬＥＤ配置孔から進入するＬＥＤからの光を反射させ、前記外側反射面は前記入射面から入射してミラー本体の肉厚内を進むＬＥＤからの光が乱反射して外側反射面の外側に出射するようにしてある。
【発明の効果】
【００１４】
本願発明のＬＥＤ照明具は次のような効果がある。
（１）放熱体が高熱伝導率の炭素繊維を含む樹脂製であるため放熱性に優れ、放熱体を小型化しても放熱ができ、従来のヒートシンクのような大型の放熱体を必要としないため、この放熱体を従来のハロゲンランプのベースの代用として、或いは既存のＬＥＤ電球のヒートシンクの代用として使用すれば、照明具を小型化することができる。
（２）ＬＥＤからの光が放熱体で遮光されずバルブの側方も照明され、照射範囲が広角になる。火傷をするおそれがない。
（３）高熱伝導率の炭素繊維を含む樹脂製の放熱体の外周を、導電性絶縁材で被覆したため、放熱体が導電性であっても漏電の危険性がなく、しかも、放熱性も確保されるため、前記（２）記載の効果が確保される。
（４）放熱体の内周面に吸熱フィンを設けたので、放熱体の内表面積が広くなり、ＬＥＤや電源回路から発生する熱が吸熱され易くなり、吸熱された熱が放熱体を通して外部に放熱されるので、放熱体を小型化しても放熱性に優れ、照明具を小型化できる。
（５）回路基板が放熱体の内側空間内に収容されているので、ＬＥＤ照明具の形状もサイズも小型化でき、従来のフィラメント式の電球やハロゲンランプ等とほとんど同じにすることができ、大型化せず違和感もない。
（６）放熱体の外周面に放熱用フィンを設けたので、より一層放熱性が向上する。
（７）ＬＥＤ用電源回路に過電流切断器（例えばヒューズ）を設けたので、電源回路に定格以上の電流（過電流）が流れることがなく、電源回路やＬＥＤが損傷せず長寿命になり、放熱体が異常に高熱になることもないので発火の危険を回避することもできる。
（８）回路基板が放熱体の内部空間内に縦向きに配置されているので、放熱体の内部空間を有効活用でき、回路基板を設けるスペースを別途設ける必要がないので小型化できる。
（９）バルブ内にＬＥＤからの光を出射方向先方に導光する透光性レンズを設けたので、ＬＥＤからの光がレンズを通して効率よく先方に導光される。また、レンズ外周面からも出射されるのでＬＥＤからの光が直進性であってもバルブの側方も照明され照射範囲が広がる。
（１０）反射ミラーの内面が内側反射面、外面が凹凸の外側反射面であり、底の部分にＬＥＤを配置可能なＬＥＤ配置孔があり、そのＬＥＤ配置孔の周面がＬＥＤからの光が入射可能な入射面であり、前記内側反射面は前記ＬＥＤ配置孔から進入するＬＥＤからの光を反射させ、前記外側反射面は前記入射面から入射してミラー本体の肉厚内を進むＬＥＤからの光が乱反射して外側反射面の外側に出射するようにしてあるので、反射ミラーの内側が照明されるのみでなく、反射ミラーの外周面も照明されて明るくなる。ＬＥＤ光は直進性であるため従来の反射ミラーではその外周面を照明することはできなかった。
【図面の簡単な説明】
【００１５】
【図１】本願発明のＬＥＤ照明具であって、ハロゲンランプ型照明具の一例を示す斜視図。
【図２】図１に示すハロゲンランプ型ＬＥＤ照明具の分解図。
【図３】図１に示すハロゲンランプ型ＬＥＤ照明具の放熱体の斜視図。
【図４】図１に示すハロゲンランプ型ＬＥＤ照明具の断面図。
【図５】本願発明の電球型ＬＥＤ照明具の一例を示す断面図。
【図６】（ａ）、（ｂ）は本願発明の電球型ＬＥＤ照明具に使用されるレンズの異なる例を示す断面図。
【図７】（ａ）、（ｂ）は本願発明の電球型ＬＥＤ照明具の口金の異なる例を示す断面図。
【図８】本願発明のハロゲンランプ型ＬＥＤ照明具の反射ミラーの一例を示す断面図。
【発明を実施するための形態】
【００１６】
（ＬＥＤ照明具１）
本願発明のＬＥＤ照明具は、光源にＬＥＤを使用し、既存の電球用ソケットに脱着可能なスクリュータイプの口金や、２ピンタイプの口金、ワンタッチタイプの口金といった各種形状、構造の口金、ライティングレール用ソケット、シーリング、ローゼット、アダプタ、コンセント等の受け具に脱着可能な電気接続具（以下これら口金、電気接続具をまとめて「口金類」という。）を備えたものであり、電球型、ランプ型の各種形状のものを含むが、実施形態の一例として図１に示すものはハロゲンランプ型のＬＥＤ照明具である。
【００１７】
図１に示すＬＥＤ照明具は、放熱体１の下に、電球用ソケットに脱着可能な口金類２を備え、放熱体１の先端（図１では上）に反射ミラー３を備え、光源にＬＥＤ４（図２）が使用され、そのＬＥＤ４を搭載したＬＥＤ用基板５が前記放熱体１の受部６の上に搭載され、放熱体１の内部空間７（図３）内にＬＥＤ４の動作（発光）に必要な電源回路やその他の電気回路、電子部品等を備えた回路基板（プリント基板や積層基板等）８（図２）が縦向きに収容配置されている。前記回路基板８は上方開口の筒型の保持具９（図２）内に縦向きに収容され、その保持具９を図４のように放熱体１の内部空間７に収容することにより内部空間７に収容されている。
【００１８】
図１の放熱体１は従前のハロゲンランプのベースの代用とすることができる。図１の口金類２は既存のハロゲンランプの口金と同様にＪＩＳ規格で定められているＥ１１口金であり、従来のハロゲンランプが脱着されていたソケットに脱着可能なものである。本願発明の口金類２は図７（ａ）に示すような２ピンタイプのものとか、図７（ｂ）に示すようなワンタッチ型のもの、その他の形状、構造のものであってもよい。
【００１９】
前記放熱体１は放熱性（伝熱性）に優れた樹脂製であり、図２に示すように上方が受部（ＬＥＤ搭載部）６で閉塞され、図３に示すように下方が開口された円筒状であり、周壁１ａ（図３）の外周面に細長の凹溝１０が多数本設けられ、それら凹溝１０の間に多数本の突条の放熱フィン１１が設けられている。また、周壁１ａの内周面には細長突条の吸熱フィン１２が突設されている。それら吸熱フィン１２は周壁１ａの内周面の対向位置に２本平行に設けられ、隣接する２本の吸熱フィン１２の間に嵌合溝１３が形成されている。前記受部６（図２）には回路基板８（図２）から導出されているリード線１４を差込み可能な差込み孔１５が開口されている。吸熱フィン１２の本数や形状等は図示したものに限られず、放熱体１の内周面の面積を広くすることができれば、他の本数、形状等にすることができる。ここで吸熱とはＬＥＤや電源回路等から放出される熱が放熱体１に伝達されることである。このように、放熱体１の内周面から伝達された熱（吸熱）が放熱体１の外周面に伝導されてその外周面から外部に放熱される。放熱フィン１１、吸熱フィン１２は他の形状、本数、間隔とすることができ、それらを設ける箇所も図示した放熱体１の外周面、内周面の所望箇所とすることができる。
【００２０】
前記放熱体１の成型用樹脂には、熱伝導率を高めた放熱樹脂、例えば、成型用樹脂中に熱伝導性フィラー材料を適量分散混合した樹脂が適する。熱伝導性フィラーとしては、アルミナ、窒化ホウ素、窒化アルミニウム、シリカ等の無機フィラー、銀、金、銅などの金属フィラー、高熱伝導性の炭素系フィラーなどが好ましい。これらの中でも、樹脂の熱伝導率を最も効率的に高め、機械的強度や成形性にも高い性能が得られる高結晶性の黒鉛構造を有する黒鉛化炭素繊維が好ましく、特に、メソフェーズピッチを原料とし、平均繊維径が２〜２０μｍ、平均繊維長が３０〜１０００μｍ、黒鉛結晶の六角網面の成長方向に由来する結晶子サイズが２０ｎｍ以上である黒鉛化炭素短繊維が好ましい。平均繊維径はより好ましくは５〜１５μｍ、平均繊維長はより好ましくは７０〜３００μｍ、結晶子サイズはより好ましくは４０ｎｍ程度である。
【００２１】
黒鉛化炭素短繊維に関する商品としては、例えば帝人株式会社製のラヒーマ（登録商標：以下同じ）が挙げられる。これら黒鉛化炭素繊維を各種成形樹脂中に適量割合、例えば、１０〜５０ｗｔ％程度の割合で分散混合することが好ましい。
【００２２】
熱伝導性フィラーは複数種を組み合わせて利用することも可能であり、黒鉛化炭素繊維と無機フィラー及び／又は金属フィラーを組み合わせて利用する事も好ましく行われる。前記組み合わせは適量で行われるが、熱伝導フィラーをトータル３０〜６０ｗｔ％前後の割合で樹脂に混合した場合、放熱樹脂の熱伝導率として２０Ｗ／ｍ・Ｋ以上の高い値を得ることも可能である。マトリックスとする樹脂材料としては、各種の熱可塑性樹脂、熱硬化性樹脂が好ましく用いられ、射出成形、プレス成形、ブロー成形、真空成形、注型法などの成形法により、放熱性に優れた放熱体１を成型することができる。
【００２３】
熱可塑性樹脂としては、例えばポリエチレン、ポリプロピレン、ポリカーボネート、ポリブチレンテレフタレート、ポリフェニレンスルフィド、脂肪族ポリアミド（ナイロン）、ポリエーテルエーテルケトン、液晶ポリマー（ＬＣＰ）等が挙げられ、これらのアロイ、変性体等も利用可能である。変性物としてはエラストマー成分を共重合してなる熱可塑性エラストマー等も好適に用いられる。
【００２４】
熱硬化性樹脂としては例えばエポキシ、シリコーン、ウレタン、不飽和ポリエステル、メラミン等が挙げられる。
【００２５】
本願発明の放熱体１は、その全面（外面、内周面、端面の全て）或いは外面又は外面と端面（外から手の触れる箇所）に絶縁被膜を施して絶縁性を確保することができる。ちなみに、放熱体１は、前記黒鉛化炭素繊維が混合された樹脂製の場合は導電性があるため、絶縁被膜を施さないと、放熱体１に手が触れると導通して感電するおそれがあるが、絶縁被膜を設けることにより、その危険性が解消される。絶縁被膜は電着塗装とか他の手法で施すことができる。絶縁被膜する絶縁塗料は絶縁性（耐電圧特性）があるだけでなく、放熱性のあるものが望ましく、更には、耐熱性のあるものがより一層望ましい。その一例としては株式会社シミズのエレコート（放熱／絶縁電着塗料）がある。エレコートにはポリイミドタイプ、フッ素系タイプ、フォトレジタイプ、装飾タイプ等各種のものがあるが、本願発明ではそれらのいずれも使用可能である。絶縁塗料は色彩のあるものでも良く、その場合は、放熱体１を着色することができる。
【００２６】
前記保持具９（図２）には、回路基板８を収容する収容筒部１６が形成され、収容筒部１６の外周面に突条のガイド１７が形成され、そのガイド１７は放熱体１の内周面の嵌合溝１３（図３）内に嵌合可能なサイズ（横幅、長さ）にしてある。収容筒部１６（図２）には鍔１８が設けられている。その鍔１８は、収容筒部１６を保持具９の内部空間７（図３）内に嵌入すると放熱体１の底縁に当たって放熱体１への差込み位置を決めるものである。
【００２７】
前記鍔１８の下には、口金類２が接着、カシメ、その他の固定手段で取り付けられている。固定に使用する接着剤や接着テープ等にも前記ラヒーマ等の黒鉛化炭素短繊維を含んだものを使用するのが放熱性の面から好ましい。
【００２８】
前記ＬＥＤ４（図２）はその放熱面をＬＥＤ用基板５側にしてＬＥＤ用基板５の上に搭載固定されており、そのＬＥＤ用基板５が受部６の上に搭載され、粘着シートや接着剤等で固定されている。この粘着シートや接着剤にも前記ラヒーマ等の黒鉛化炭素短繊維を含んだものを使用するのが放熱性の面から好ましい。ＬＥＤ４は回路基板８の電源回路に電気的に接続されて発光する。ＬＥＤ４には所望色を発光できるものを使用することができ、その数も必要に応じて選択することができる。
【００２９】
前記回路基板８（図２）には、電源回路が表示され、ＬＥＤ４の動作や制御に必要な電子部品や電子機器Ｅ（図２、図４）が搭載されている。回路基板８は図２に示すように放熱体１の内部空間７（図３）内に縦向きに収容される。回路基板８には過電流切断器、例えばヒューズを取付けて、定格以上の電流が流れるとヒューズが自動的に切れて過電流が防止され、電源部の破損、発火等（損傷）を防止できるようにしてある。回路基板８の下方にはリード線１９（図２）が導出され、それが口金類２に電気的に接続されている。回路基板８には前記ヒューズの他に温度スイッチをも設けることもできる。温度スイッチは回路基板の周辺温度が高温例えば１５０℃以上になると自動的に切れ１００℃以下になると自動復帰するものであり、ＬＥＤや電源回路を高温から保護するものであり、ＩＣ内蔵型のものを使用することができる。
【００３０】
前記反射ミラー３（図１、図２）は、ガラス製、アクリルやポリカーボネート等の樹脂製、アルミ製、その他の材質製とすることができる。反射ミラー３の上周縁には受縁２０（図２）が突設され、受縁２０の上にカバー２１が配置されて接着固定されている。反射ミラー３の下端側には２本の脚３ａが設けられている。その脚３ａはＬＥＤ用基板５の貫通孔５ａ（図２）から放熱体１の貫通孔６ａ（図２）に図４のように差し込んで、反射ミラー３を放熱体１に係止できるようにしてある。
【００３１】
前記反射ミラー３には、既存のハロゲンランプ用反射ミラー３を使用することもできるが、新規なものを使用することもできる。新規な反射ミラー３の一例として図８に示すものは、樹脂成型されたミラー本体３ｂの内面は鏡面仕上げされた内側反射面３ｃとしてある。反射面３ｃは、例えば、ミラー本体３ｂの内面にアルミ蒸着によりアルミ被膜を設けるとか他の方法で鏡面化して成形することができる。反射ミラー３の外面はミラー本体３ｂの成型時に凹凸面にするとか、成型後にサンドブラストとか他の方法で粗面化するなどして凹凸の外側反射面３ｄにしてある。また、反射ミラー３の底面の中央部（略中央部を含む）にＬＥＤ配置孔３ｅを設けてその周面を入射面３ｆとしてある。この反射ミラー３では、図８に示すようにＬＥＤ４を前記ＬＥＤ配置孔３ｅ内に配置すると、ＬＥＤ４からの光が反射ミラー３の内側に直進して内側反射面３ｃで反射されると共に、入射面３ｆに入射してミラー本体３ｂの肉厚内を進行し、その進行中に外側反射面３ｄで乱反射して外側に出射し、反射ミラー３の外側をも照明することができる。
【００３２】
図７（ａ）のＬＥＤ照明具は口金類２を２ピンタイプとしたもの、図７（ｂ）のＬＥＤ照明具は口金類２を天井や壁などに取り付けられている受け具に所定方向から差し込んで回転させることにより受け具に嵌合可能なワンタッチタイプとしたものである。本願発明のＬＥＤ照明具の口金類２は他の形状、構造であってもよく、ソケット以外の構造の電器接続具に接続可能なものであってもよい。
【００３３】
本願発明のＬＥＤ照明具における各種構成部材の接着には、前記ラヒーマ等の黒鉛化炭素短繊維を含んだ粘着シートや接着剤等も使用して、放熱性を良くするのが望ましい。
【００３４】
（ＬＥＤ照明具２）
本願発明のＬＥＤ電球の一例として図５に示すものは、既存の豆電球形（ミニ球形）と略同じ形状の電球である。このＬＥＤ電球は放熱体１、口金類２、回路基板８、ＬＥＤ４等は図１のＬＥＤ照明具と同じであり、異なるのは、図１の反射ミラー３に代えてバルブ２５（図５）を使用し、バルブ２５内であって、ＬＥＤ４の先方にレンズ２６（図５）を配置したことである。前記口金類２、バルブ２５は既存の白熱電球に使用されているものと同様の形状、サイズ、規格のもの、或いは、それに類するものを使用することができる。
【００３５】
前記レンズ２６は略半球状であり、ＬＥＤ４の先方に配置固定した細長い円筒状の台座２４の先端に固定されている。レンズ２６はこれ以外の形状のものであってもよく取付け箇所も台座２４の先端ではなくＬＥＤ４の直近であってもよい。レンズ２６は図６（ａ）（ｂ）に示すようなものであってもよい。図６（ａ）に示すレンズ２６は丸棒状であり、先端内部に円錐状の窪んだ光溜まり空間２７が形成され、底面２８が円錐状のものである。図６（ｂ）に示すレンズ２６は丸棒状であり、先端内部に縦長円弧状に窪んだ光溜まり空間２７が形成され、底面２８が円弧状のものである。これらレンズ２６は透光性を有する樹脂製であり、アクリル製が適するが、ガラス製とか他の材質製とすることもできる。
【００３６】
レンズ２６は長さ、太さ、形状、光溜まり空間２７の形状や深さ、先端の口径（広さ）、底面２８の形状等は用途に合わせて選択できる。レンズ２６の底面外周には取付け縁２９が形成されており、それをＬＥＤ用基板５とかＬＥＤ４の周囲の他の部材の上に配置して、接着剤や接着テープで固定することができるようにしてある。レンズ２６や台座２４には着色樹脂や着色ガラス等を使用することもできる。これによりＬＥＤ４を代えることなく用途に適した様々な色の光を用意することができる。
【００３７】
図５のバルブ２５は放熱体１の先に取り付けられている。バルブ２５はガラス製、アクリル製、その他の材質製とすることができ、放熱性に優れたものが特に好ましい。バルブ２５における放熱体１寄りの箇所は曇りガラスにするとか他の手段で不透明或いは半透明にするなどして遮蔽部を設けて、台座２４やレンズ２６等が外部から透視できないように隠すこともできる。
【００３８】
図５のＬＥＤ照明具では、放熱体１が既存のＬＥＤ電球のヒートシンクに代えて使用することができる。
【産業上の利用可能性】
【００３９】
本願発明の前記構成は他の形状や用途のＬＥＤ照明具、例えば、屋内や屋外に設置される照明看板や店頭看板、ＬＥＤを用いたチャンネル文字といった各種用途のＬＥＤ照明具にも利用することができる。
【符号の説明】
【００４０】
１    放熱体
１ａ  （放熱体の）周壁
２    口金類
３    反射ミラー（リフレクター）
３ａ  脚
３ｂ  ミラー本体
３ｃ  内側反射面
３ｄ  外側反射面
３ｅ  ＬＥＤ配置孔
３ｆ  入射面
４    ＬＥＤ
５    ＬＥＤ用基板
５ａ  貫通孔
６    （ＬＥＤ搭載用の）受部
６ａ  貫通孔
７    内部空間
８    回路基板
９    保持具
１０    凹溝
１１    放熱フィン
１２    吸熱フィン
１３    嵌合溝
１４    リード線
１５    差込み孔
１６    収容筒部
１７    ガイド
１８    （保持具の）鍔
１９    リード線
２０    （反射ミラーの）受縁
２１    カバー
２４    台座
２５    バルブ
２６    レンズ
２７    光溜まり空間
２８    （レンズの）底面
２９    （レンズの）取付け縁
Ｅ    電気部品等
【図１】
0005666318.tif 000002
【図２】
0005666318.tif 000003
【図３】
0005666318.tif 000004
【図４】
0005666318.tif 000005
【図５】
0005666318.tif 000006
【図６】
0005666318.tif 000007
【図７】
0005666318.tif 000008
【図８】
0005666318.tif 000009